(57)【要約】【課題】  薄型で、且つ、小型化が図れる多方向入力装置を提供すること。【解決手段】  本発明の多方向入力装置は、互いに直交した状態で配置された操作部材２と可動部材３の第１，第２の凹部２ｅ、３ｄが互いに合わされて嵌合状態になっていることにより、可動部材３を厚み方向に薄くできて、薄型化が図れると共に、操作部２ａの厚みを薄くすることが無く、操作部２ａの安定した動作ができ、また、操作部材２の押圧動作時は可動部材３に対して単独で直線動作が可能であると共に、操作部材２の傾倒動作時は可動部材３を係合状態にして可動部材３と一体的に傾倒させることができる装置が得られる。【選択図】  図４
2007042331.tif 000002
【特許請求の範囲】
【請求項１】
直線動作と傾倒動作の可能な操作部材と、この操作部材によって傾倒動作を行う可動部材と、前記操作部材の直線動作を検出する第１の信号発生部材と、前記可動部材の傾倒動作を検出する第２の信号発生部材とを備え、前記操作部材は、前方部に位置する操作部と、この操作部よりも肉厚の薄い薄肉部が形成されるように直線動作方向と直交する方向に貫通する第１の凹部を有し、前記可動部材は、中央部に位置する持ち上がり部と、この持ち上がり部の両側から前記第２の信号発生部材に向かって延びる一対の脚部と、傾動動作方向と直交する方向に貫通し前記持ち上がり部に設けられた第２の凹部を有し、前記操作部材が前記可動部材に対して直交して配置されると共に、前記第１，第２の凹部が互いに合わされて、前記持ち上がり部が前記第１の凹部内に位置した嵌合状態となし、前記操作部材を押圧して直線動作を行わせた時、前記操作部材は、前記可動部材の第２の凹部内をガイドにして直線移動して前記第１の信号発生部材を操作すると共に、前記操作部材を傾倒して傾倒動作を行わせた時、前記可動部材は、前記嵌合位置での前記操作部材との係合によって一体的に傾倒移動し、前記操作部材または前記可動部材の移動を前記第１，第２の信号発生部材によって検出することを特徴とする多方向入力装置。
【請求項２】
上記請求項１記載の発明において、
前記操作部材と前記可動部材の前記嵌合状態が前記操作部材の前記薄肉部の外面と前記可動部材の前記持ち上がり部の外面とがほぼ面一となるようにしたことを特徴とする多方向入力装置。
【請求項３】
上記請求項１または２記載の発明において、
前記操作部材と前記可動部材の前記嵌合状態を維持するための維持手段が設けられたことを特徴とする多方向入力装置。
【請求項４】
上記請求項３記載の発明において、
前記操作部材と前記可動部材を収容する枠体を有し、前記枠体の対向する一対の壁板が前記操作部材と前記可動部材を挟むように配置され、前記一対の壁板が前記操作部材の外面と前記可動部材の外面に当接または近接させることによって前記維持手段を形成したことを特徴とする多方向入力装置。
【請求項５】
上記請求項４記載の発明において、
前記枠体は、前記壁板に繋がり、前記操作部材の前記操作部を突出させるための開口部を有する前面板と、前記開口部を挟むように前記前面板に設けられた一対の押さえ部を有し、前記操作部材が前記開口部から突出した初期状態にある時、前記第１の凹部の後部に位置する内面が前記可動部材にぶつかって、前記操作部材の前方方向への移動が阻止されると共に、前記可動部材の前面が前記押さえ部にぶつかって、前記可動部材に前方方向への抜け止めが行われ、前記操作部材を押圧した時、前記第１の凹部の前部に位置する内面が前記可動部材にぶつかって、前記操作部材の前方方向への移動が阻止され、前記操作部材によって前記可動部材が傾動動作した時、前記可動部材の前面が前記押さえ部にガイドされて、前記可動部材の傾動動作が行われるようにしたことを特徴とする多方向入力装置。
【請求項６】
上記請求項４または５記載の発明において、
前記壁板には、前方に突出する半円状の規制部が設けられ、前記操作部材には、前記規制部と係脱可能な突部が設けられ、前記操作部材が傾倒動作をした時、前記突部が前記規制部の外周縁に係合可能となして、前記操作部材の押圧動作を規制するようにしたことを特徴とする多方向入力装置。
【請求項７】
上記請求項５または６記載の発明において、
前記操作部材には、突部が設けられると共に、前記壁板には、初期状態にある前記操作部材の前記突部に対向し、この突部を受け入れ可能なガイド溝が設けられ、前記操作部材が押圧された時、前記突部が前記ガイド溝にガイドされて移動して、前記操作部材の直線動作を行わしめるようにしたことを特徴とする多方向入力装置。
【請求項８】
上記請求項４から７のいずれか１項記載の発明において、
前記第１，第２の信号発生部材を収容し、前記枠体に取り付けられたケースと、前記第１，第２の信号発生部材を電気的に接続するための回路基板を有し、前記回路基板には、一方の前記壁板を前記回路基板に対して平面的に配置した状態で、前記枠体が取り付けられて、前記枠体が前記回路基板に対して伏せ型取付状態となし、前記操作部材が前記回路基板の平面に対して平行な状態で操作されるようにしたことを特徴とする多方向入力装置。
【請求項９】
上記請求項１から８のいずれか１項記載の発明において、
前記信号発生部材は、複数の固定接点と、前記操作部材または前記可動部材によって可動され、前記固定接点間を開閉するクリック板からなる可動接点板とで構成されたことを特徴とする多方向入力装置。
【発明の詳細な説明】
【技術分野】
【０００１】
本発明は、ポータブルオーディオ、携帯ゲーム機器等の電子機器に使用され、近年の薄型化、小型化の要求に適した多方向入力装置に関するものである。
【背景技術】
【０００２】
従来の多方向入力装置の図面を説明すると、図７は従来の多方向入力装置の要部断面図、図８は従来の多方向入力装置の分解斜視図であり、次に、従来の多方向入力装置の構成を図７、図８に基づいて説明すると、スイッチからなる複数の信号発生部材Ｓが内部に配設されたケース５１と、ケース５１の上部を塞ぐ蓋体５２と、中央部に配設された信号発生部材Ｓを操作する操作部材５３と、中心部の孔５４ａに操作部材５３が挿通された状態で、ケース５１と蓋体５２とによって保持され、周辺に配置された信号発生部材Ｓを操作する可動部材５４とで構成されている。
【０００３】
このような構成を有する従来の多方向入力装置は、ケース５１の下面が回路基板５５に載置された状態で、回路基板５５に取り付けられて、信号発生部材Ｓが回路基板５５に電気的に接続されると共に、操作部材５３が回路基板５５に対して垂直状態に配置された状態となり、この操作部材５３を矢印Ａ１方向に押圧すると、操作部材５３は直線動作して、中央部に位置する信号発生部材Ｓが操作され、また、操作部材５３を矢印Ａ２方向に傾倒動作を行うと、この操作部材５３によって可動部材５４も傾倒動作され、この可動部材５４によって周辺に配置された信号発生部材Ｓが操作されるようになっている（例えば、特許文献１参照）。
【特許文献１】特開平１０−１８８７３８号公報（第３−第４頁、図１、図２）
【発明の開示】
【発明が解決しようとする課題】
【０００４】
多方向入力装置は、これが搭載される電子機器の小型化に伴い、近年、薄型と小型化が望まれているが、従来の多方向入力装置において、操作部材５３は可動部材５４の孔５４ａに挿通され、操作部材５３と可動部材５４とが同軸的に配置されて、操作部材５３の全外周部に可動部材５４の肉部が存在するため、径方向（横方向）に大型になって、横方向の薄型化が図れない上に、操作部材５３は回路基板５５に対して垂直状態となっているため、高さ方向に大きくなって、高さ方向の小型化が図れないという問題がある。
【０００５】
本発明は、このような従来技術の実情に鑑みてなされたもので、その目的は、薄型で、且つ、小型化が図れる多方向入力装置を提供することにある。
【課題を解決するための手段】
【０００６】
上記の目的を達成するために、本発明は、直線動作と傾倒動作の可能な操作部材と、この操作部材によって傾倒動作を行う可動部材と、前記操作部材の直線動作を検出する第１の信号発生部材と、前記可動部材の傾倒動作を検出する第２の信号発生部材とを備え、前記操作部材は、前方部に位置する操作部と、この操作部よりも肉厚の薄い薄肉部が形成されるように直線動作方向と直交する方向に貫通する第１の凹部を有し、前記可動部材は、中央部に位置する持ち上がり部と、この持ち上がり部の両側から前記第２の信号発生部材に向かって延びる一対の脚部と、傾動動作方向と直交する方向に貫通し前記持ち上がり部に設けられた第２の凹部を有し、前記操作部材が前記可動部材に対して直交して配置されると共に、前記第１，第２の凹部が互いに合わされて、前記持ち上がり部が前記第１の凹部内に位置した嵌合状態となし、前記操作部材を押圧して直線動作を行わせた時、前記操作部材は、前記可動部材の第２の凹部内をガイドにして直線移動して前記第１の信号発生部材を操作すると共に、前記操作部材を傾倒して傾倒動作を行わせた時、前記可動部材は、前記嵌合位置での前記操作部材との係合によって一体的に傾倒移動し、前記操作部材または前記可動部材の移動を前記第１，第２の信号発生部材によって検出することを特徴としている。
【０００７】
このように構成した本発明において、互いに直交した状態で配置された操作部材と可動部材は、第１，第２の凹部が互いに合わされて嵌合状態になっていることにより、可動部材を厚み方向に薄くできて、薄型化が図れると共に、操作部の厚みを薄くすることが無く、操作部の安定した動作ができ、また、操作部材の押圧動作時は可動部材に邪魔されることなく直線動作が可能であると共に、操作部材の傾倒動作時は可動部材を係合状態にして可動部材と一体的に傾倒させることができる装置が得られる。
【０００８】
また、本発明は、上記発明において、前記操作部材と前記可動部材の前記嵌合状態が前記操作部材の前記薄肉部の外面と前記可動部材の前記持ち上がり部の外面とがほぼ面一となるようにしたことを特徴としている。このように構成した本発明は、可動部材の厚みの範囲内に操作部材を収容できて、一層薄型化が図れる。
【０００９】
また、本発明は、上記発明において、前記操作部材と前記可動部材の前記嵌合状態を維持するための維持手段が設けられたことを特徴としている。このように構成した本発明は、維持手段によって嵌合状態が維持され、操作部材による動作の確実なものが得られる。
【００１０】
また、本発明は、上記発明において、前記操作部材と前記可動部材を収容する枠体を有し、前記枠体の対向する一対の壁板が前記操作部材と前記可動部材を挟むように配置され、前記一対の壁板が前記操作部材の外面と前記可動部材の外面に当接または近接させることによって前記維持手段を形成したことを特徴としている。このように構成した本発明は、枠体による簡単な構成で維持手段が形成できて、生産性が良く、安価なものが得られる。
【００１１】
また、本発明は、上記発明において、前記枠体は、前記壁板に繋がり、前記操作部材の前記操作部を突出させるための開口部を有する前面板と、前記開口部を挟むように前記前面板に設けられた一対の押さえ部を有し、前記操作部材が前記開口部から突出した初期状態にある時、前記第１の凹部の後部に位置する内面が前記可動部材にぶつかって、前記操作部材の前方方向への移動が阻止されると共に、前記可動部材の前面が前記押さえ部にぶつかって、前記可動部材に前方方向への抜け止めが行われ、前記操作部材を押圧した時、前記第１の凹部の前部に位置する内面が前記可動部材にぶつかって、前記操作部材の前方方向への移動が阻止され、前記操作部材によって前記可動部材が傾動動作した時、前記可動部材の前面が前記押さえ部にガイドされて、前記可動部材の傾動動作が行われるようにしたことを特徴としている。このように構成した本発明は、可動部材が動作時に押さえ部によってガイドされ、可動部材の動作の円滑に行えると共に、操作部材の押圧動作時には、第１の凹部の前部内面が可動部材にぶつかり、従って、第１の信号発生部材がスイッチで形成されている場合における可動接点板を損傷することがない。
【００１２】
また、本発明は、上記発明において、前記壁板には、前方に突出する半円状の規制部が設けられ、前記操作部材には、前記規制部と係脱可能な突部が設けられ、前記操作部材が傾倒動作をした時、前記突部が前記規制部の外周縁に係合可能となして、前記操作部材の押圧動作を規制するようにしたことを特徴としている。  このように構成した本発明は、操作部材の傾倒動作中において、操作部材に押圧動作（直線動作）が作用したとしても、突部が規制部にぶつかってそれ以上の操作部材の直線動作は阻止され、従って、操作部材による傾倒動作方向以外の信号発生部材の操作は行わず、操作の確実なものが得られる。
【００１３】
また、本発明は、上記発明において、前記操作部材には、突部が設けられると共に、前記壁板には、初期状態にある前記操作部材の前記突部に対向し、この突部を受け入れ可能なガイド溝が設けられ、前記操作部材が押圧された時、前記突部が前記ガイド溝にガイドされて移動して、前記操作部材の直線動作を行わしめるようにしたことを特徴としている。このように構成した本発明は、初期状態の操作部材を直線動作した時、突部がガイド溝にガイドされながら直線移動するため、操作部材も直線状に移動して、第１の信号発生部材の操作を確実に行うことができる。
【００１４】
また、本発明は、上記発明において、前記第１，第２の信号発生部材を収容し、前記枠体に取り付けられたケースと、前記第１，第２の信号発生部材を電気的に接続するための回路基板を有し、前記回路基板には、一方の前記壁板を前記回路基板に対して平面的に配置した状態で、前記枠体が取り付けられて、前記枠体が前記回路基板に対して伏せ型取付状態となし、前記操作部材が前記回路基板の平面に対して平行な状態で操作されるようにしたことを特徴としている。このように構成した本発明は、枠体が伏せ型取付状態となしているため、高さ方向に小さくできて、小型化、薄型化を図ることができると共に、枠体が回路基板に取り付けられているため、その取付が強固となり、操作部材の操作時における強度を高めることができる。
【００１５】
また、本発明は、上記発明において、前記信号発生部材は、複数の固定接点と、前記操作部材または前記可動部材によって可動され、前記固定接点間を開閉するクリック板からなる可動接点板とで構成されたことを特徴としている。このように構成した本発明は、信号発生部材が固定接点と可動接点板からなる所謂スイッチで構成されたものであり、部品点数が少なく信号発生部材を簡単に形成できると共に、クリック感触を伴った良好な操作感触の得られるものが提供できる。
【発明の効果】
【００１６】
本発明は、互いに直交した状態で配置された操作部材と可動部材の第１，第２の凹部が互いに合わされて嵌合状態になっていることにより、可動部材を厚み方向に薄くできて、薄型化が図れると共に、操作部の厚みを薄くすることが無く、操作部の安定した動作ができ、また、操作部材の押圧動作時は可動部材に邪魔されることなく単独で直線動作が可能であると共に、操作部材の傾倒動作時は可動部材を係合状態にして可動部材と一体的に傾倒させることができる装置が得られる。
【発明を実施するための最良の形態】
【００１７】
発明の実施の形態について図面を参照して説明すると、図１は本発明の多方向入力装置の斜視図、図２は本発明の多方向入力装置の要部断面図、図３は本発明の多方向入力装置の下面図、図４は本発明の多方向入力装置の分解斜視図、図５は本発明の多方向入力装置に係り、操作部材を直線動作した状態を示す動作説明図、図６は本発明の多方向入力装置に係り、操作部材を傾倒動作した状態を示す動作説明図である。
【００１８】
（全体の構成）
次に、本発明の多方向入力装置に係る構成を図１〜図６に基づいて説明すると、特に図１，図４に示すように、金属板等からなる箱形の枠体１は、開口部１ａを有する長方形状の前面板１ｂと、この前面板１ａの対向する上下の２辺から後方に折り曲げられた対向する一対の壁板（上、下壁板）１ｃ、１ｄと、前面板１ａの対向する側辺から後方に折り曲げられた対向する一対の側板１ｅを有する。また、枠体１は、開口部１ａに向かって前面板１ｂから切り起こされた一対の押さえ部１ｆと、開口部１ａの位置で、壁板１ｃ、１ｄから前方に突出する半円状の規制部１ｇと、一方の規制部１ｇの頂部に設けられた凹状のガイド溝１ｈと、一対の側板１ｅに設けられた孔を有する掛止め部１ｊと、一対の側板１ｅから下方に突出する取付片１ｋとを有する。
【００１９】
図４に示すように、合成樹脂の成型品等からなる四角柱状の操作部材２は、前方に位置する操作部２ａと、後方に位置し、球面状をなした突起２ｂ（図２参照）を有する鍔部２ｃと、この鍔部２ｃと操作部２ａ間に設けられ、操作部２ａよりも肉厚の薄い薄肉部２ｄが形成されるように直線動作方向と直交する方向に貫通し下方を開放させて設けられた第１の凹部２ｅと、操作部２ａと鍔部２ｃ間の外面から突出する円柱状の突部２ｆを有する。
【００２０】
図４に示すように、合成樹脂の成型品等からなる山形状の可動部材３は、中央部に位置し、前面に円弧状面を有する持ち上がり部３ａと、この持ち上がり部３ａの両側から後方に向かって延びる一対の脚部３ｂと、この脚部３ｂの後部に設けられた球面状をなした突起３ｃ（図２参照）と、傾倒動作方向と直交する方向に貫通し上方を開放させて持ち上がり部３ａに設けられた第２の凹部３ｄを有する。この第２の凹部３ｄの対向する内壁間隔は、操作部材２の薄肉部２ｄの横幅よりも若干大きく形成されている。
【００２１】
そして、この可動部材３と上述した操作部材２は、操作部材２が可動部材３に対して直線移動可能に、且つ、傾倒動作においては一体的に傾倒移動可能となるように直交して配置される。このような単独操作と連動操作とを可能とするために、第１，第２の凹部２ｅ、３ｄが互いに合わされて、持ち上がり部３ａが第１の凹部２ｅ内に位置し、操作部材２が第２の凹部３ｄの対向する内壁にガイドされて直線移動可能に、且つ、傾倒動作方向への移動は第２の凹部３ｄで規制されて、操作部材２の傾倒動作に可動部材３が従動し一体的に傾倒するように嵌合させた状態となっている。この時、突部２ｆ側の操作部材２の外面は、持ち上がり部３ａの外面とほぼ面一状態になっている。このような構成によって組み合わされた操作部材２と可動部材３は、操作部２ａを先にして枠体１の後方側から枠体１内に挿入されて、操作部２ａ、および突部２ｆが開口部１ａを通って前方に突出すると共に、鍔部２ｃと可動部材３は、枠体１内に収納される。
【００２２】
この状態においては、持ち上がり部３ａの円弧状面が押さえ部１ｆに当接し、突部２ｆがガイド溝１ｈに対向すると共に、枠体１の対向する一対の壁板１ｃ、１ｄが操作部材２と可動部材３を挟むように配置され、一方の壁板１ｃが操作部材２の外面に、また、他方の壁板１ｄが可動部材３の外面に当接または近接した状態となって、第１，第２の凹部２ｅ、３ｄの嵌合状態を維持させるための維持手段が形成されている。そして、操作部材２は、後述するように、操作部材２を押圧して直線動作を行わせた時、可動部材３の第２の凹部３ｄおよびガイド溝１ｈをガイドにして直線移動し、また、操作部材２を傾倒して傾倒動作を行わせた時、突部２ｆが円弧状の規制部１ｇにガイドされながら移動すると共に、可動部材３が嵌合位置での操作部材２との係合によって操作部材２に従動して傾倒動作を行うようになる。
【００２３】
図４に示すように、合成樹脂の成型品からなるケース４は、前面部に設けられた複数の凹部４ａと、両側面から突出する突起４ｂを有すると共に、このケース４には、第１，第２の信号発生部材５，６、６が設けられ手いる。この第１，第２の信号発生部材５，６、６は、凹部４ａの中央部に埋設され、ケース４の下部に露出した外部機器との接続端子７ｂ（図３参照）を有する第１の固定接点７ａと、凹部４ａの外周部に埋設され、ケース４の下部に露出した接続端子８ｂ（図３参照）を有する複数の第２の固定接点８ａと、バネ性を有し反転動作によりタクティールフィーリングを操作者に付与するクリック板からなる可動接点板９とで構成された独立した３つのスイッチからなっている。なお、第１の固定接点７ａと接続端子７ｂはそれぞれのスイッチに対応して電気的に独立して３つ設けられており、４つの第２の固定接点８ａと接続端子８ｂは電気的に共通に接続されている。
【００２４】
このようなスイッチからなる第１，第２の信号発生部材５，６は、初期状態において、可動接点板９の中央部が第１の固定接点７ａに所定の間隔で離間し対向した状態で、可動接点板９の周縁部が第２の固定接点８ａに接触した状態となって構成される。可動接点板９の中央部が押圧された時、可動接点板９は、反転動作して中央部が第１の固定接点７ａに接触して、可動接点板９によって第１，第２の固定接点７ａ、８ａ間が電気的に接続（ＯＮ状態）される。また、可動接点板９への押圧が解除された際、可動接点板９は自己のバネ力によって反転して元状態に戻り、第１、第２の固定接点７ａ、８ａ間が開放状態（ＯＦＦ状態）になるようになっており、そして、第１の信号発生部材５は、ケース４の前面中央部に設けられると共に、２個の第２の信号発生部材６は、第１の信号発生部材５を挟むようにケース４の前面側方部に２個配設されている。また、第１，第２の信号発生部材５，６の３個の可動接点板９は、ケース４の前面に貼り付けされた粘着シート１０によって覆われて外部からの塵埃浸入を防止し、保持された状態となっている。
【００２５】
このような構成を有するケース４は、枠体１の後方に位置した状態で、突起４ｂを掛止め部１ｊに圧入して、突起４ｂが掛止め部１ｊの孔に嵌合されると枠体１への取付が完了する。この状態では、操作部材２の突起２ｂが中央部に位置する可動接点板９、および可動部材３の双方の突起３ｃが両側部に位置する可動接点板９によって押されて、可動部材５の前面は、押さえ部１ｆに当接して抜け止めが行われると共に、操作部材２は、第１の凹部２ｅの後部の内面が可動部材３にぶつかって、操作部材２が開口部１ａから垂直状態に突出した初期状態となって、本発明の多方向入力装置が形成されている。
【００２６】
（装置の取付構成）
このような構成を有する本発明の多方向入力装置は、図１に示すように、丸孔や角孔に形成された内面に半田付け可能な複数の孔１１ａと図示しない配線パターンが設けられた電子機器の回路基板１１に実装される。図１は多方向入力装置の枠体１の壁板（下壁板）１ｄを回路基板１１に対して平面的に配置した状態で、枠体１の取付片１ｋが孔１１ａに挿入されて、取付片１ｋがアースパターンと導通する孔１１ａに半田付けされて取り付けられると共に、ケース４の下部に露出する接続端子７ｂ、８ｂが配線パターンに半田付けされて電気的に接続される。これによって、枠体１が回路基板１１に対して伏せ型取付状態となし、操作部材２が回路基板１１の平面に対して平行な状態で操作されるようになっている。即ち、図１に示すように、操作部材２は、矢印Ａ１方向、または矢印Ａ２方向に、回路基板１１の平面に対して平行な状態で操作すると、第１，第２の信号発生部材５，６が操作できるようになっている。
【００２７】
（操作部材の直線動作）
次に、本発明の多方向入力装置の動作を図１，図２，および図５，図６に基づいて説明すると、操作部材２が未作動の状態（初期状態）では、図１，図２に示すように、可動部材３の突起３ｃが可動接点板９によって押されて、可動部材５の前面は、押さえ部１ｆに当接して抜け止めが行われると共に、操作部材２の突起２ｂが可動接点板９によって押されて、操作部材２は、第１の凹部２ｅの後部の内面が可動部材３にぶつかって抜け止めされ、操作部材２が開口部１ａから垂直状態に突出した状態となっている。
【００２８】
この状態で操作部材２を矢印Ａ１方向に押圧して、操作部材２を直線動作させると、先ず、突部２ｆがガイド溝１ｈに受け入れられて、ガイド溝１ｈをガイドにして移動すると共に、第１、第２の凹部２ｅ、３ｄの嵌合位置で、操作部材２が第２の凹部３ｄの対向する一対の内壁でガイドされて、操作部材２が直線移動する。そして、操作部材２の直線動作によって、図５に示すように、中央部に位置する第１の信号発生部材５の可動接点板９が押されて反転し、クリック感を持って第１の固定接点７ａに接触して、可動接点板９によって第１，第２の固定接点７ａ、８ａ間が接続（ＯＮ状態）されると共に、第１の凹部２ｅの前方の内面が可動部材３の持ち上がり部３ａにぶつかって、操作部材２の移動が停止するようになる。また、操作部材２への押圧が解除された際、図２に示すように、可動接点板９は反転して元状態に戻り、第１、第２の固定接点７ａ、８ａ間が開放状態（ＯＦＦ状態）になると共に、操作部材２は可動接点板９によって押し戻されて、図２の元状態に戻る。
【００２９】
（操作部材の傾倒動作）
次に、図１，図２に示す初期状態にある操作部材２を矢印Ａ２方向の何れか一方（ここの説明では反時計方向）に傾倒動作させると、操作部材２は、嵌合位置での可動部材３との係合によって、可動部材３を引っかけて操作部材２に可動部材３が従動して一体的に傾倒動作を行い、これに伴って、操作部材２は、回動して突部２ｆがガイド溝１ｈの位置から規制部１ｇの位置に移行すると共に、可動部材３が押さえ部１ｆに摺動しながら回動する。この状態で、操作部材２の傾倒動作中において、操作部材２に押圧動作（直線動作）が作用したとしても、突部２ｆが規制部１ｇにぶつかってそれ以上の操作部材２の直線動作は阻止され、第１の信号発生部材５が誤って操作されることが無いようになっている。
【００３０】
更に操作部材２の傾倒動作を続けると、図６に示すように、可動部材３の一方の脚部３ｂに設けられた突起３ｃによって、一方の側部に位置する第２の信号発生部材６の可動接点板９が押されて反転し、クリック感を持って第１の固定接点７ａに接触して、可動接点板９によって第１，第２の固定接点７ａ、８ａ間が接続（ＯＮ状態）されると共に、他方の脚部３の前面が前面板１ｂにぶつかって、操作部材２の移動が停止するようになる。また、操作部材２への傾倒動作が解除された際、図２に示すように、可動接点板９は反転して元状態に戻り、第１、第２の固定接点７ａ、８ａ間が開放状態（ＯＦＦ状態）になると共に、可動部材３と操作部材２は可動接点板９によって押し戻されて、図２の元状態に戻る。なお、操作部材２を時計方向に傾倒動作を行わせた際は、上記と同様の原理によって、他方の側部に位置する第２の信号発生部材６が操作されるようになるもので、ここではその説明を省略する。
【００３１】
（他の実施形態）
なお、上記実施例では、維持手段が枠体１の一対の壁板１ｃ、１ｄで形成されたもので説明したが、維持手段は、ケース４から前方に延びる一対の壁部によって操作部材２と可動部材３を挟持したり、その他の構成によって形成しても良く、また、信号発生部材５，６は、スイッチ以外の信号発生手段を用いても良く、例えば操作部材２，可動部材３の位置を非接触センサーで検出し、初期位置から所定位置に移動したことを検知するようにしても良い。また、操作部材２や、可動部材３の信号発生部材を操作量に応じて複数の信号を発生させる多段スイッチで形成しても良い。また、操作部材２と可動接点３の初期状態に対し、傾倒角度を時計方向と反時計方向とで異ならせるように設定するようにしても良い。更に、装置の回路基板１１への取付は、枠体１以外のケース４でも良く、更にまた、ケース４の枠体１への取付は、側板１ｅ以外の壁板１ｃ、１ｄで行っても良い。
【図面の簡単な説明】
【００３２】
【図１】本発明の多方向入力装置の斜視図である。
【図２】本発明の多方向入力装置の要部断面図である。
【図３】本発明の多方向入力装置の下面図である。
【図４】本発明の多方向入力装置の分解斜視図である。
【図５】本発明の多方向入力装置に係り、操作部材を直線動作した状態を示す動作説明図である。
【図６】本発明の多方向入力装置に係り、操作部材を傾倒動作した状態を示す動作説明図である。
【図７】従来の多方向入力装置の要部断面図である。
【図８】従来の多方向入力装置の分解斜視図である。
【符号の説明】
【００３３】
１  枠体
１ａ  開口部
１ｂ  前面板
１ｃ  壁板
１ｄ  壁板
１ｅ  側板
１ｆ  押さえ部
１ｇ  規制部
１ｈ  ガイド溝
１ｊ  掛止め部
１ｋ  取付片
２  操作部材
２ａ  操作部
２ｂ  突起
２ｃ  鍔部
２ｄ  薄肉部
２ｅ  第１の凹部
２ｆ  突部
３  可動部材
３ａ  持ち上がり部
３ｂ  脚部
３ｃ  突起
３ｄ  第２の凹部
４  ケース
４ａ  凹部
４ｂ  突起
５  第１の信号発生部材
６  第２の信号発生部材
７ａ  第１の固定接点
７ｂ  接続端子
８ａ  第２の固定接点
８ｂ  接続端子
９  可動接点板
１０  粘着シート
１１  回路基板
１１ａ  孔
【図１】
2007042331.tif 000003
【図２】
2007042331.tif 000004
【図３】
2007042331.tif 000005
【図４】
2007042331.tif 000006
【図５】
2007042331.tif 000007
【図６】
2007042331.tif 000008
【図７】
2007042331.tif 000009
【図８】
2007042331.tif 000010